(57)【要約】      （修正有）【課題】配送業者の作業負担の軽減と、居住者への小荷物の確実な配送を実現する。【解決手段】昇降かご１１は、区分利用空間５を利用する区分利用者６に宛てた小荷物８を載置して昇降駆動される。解錠手段１２は、共同玄関２に設けられて、特定の区分利用者６と小荷物を届ける訪問者７との間の所定認証処理に基づいて昇降かごのドアロックを解除する。呼び登録手段１３は、解錠手段１２のドアロック解除に連動して特定の区分利用者６の区分利用空間５が存在する階床４を目的階として呼びを登録する。小荷物載置検出手段１４は、昇降かごに設置されて小荷物８が昇降かご内に載置されたことを検出する。制御手段１５は、小荷物載置検出手段１４により小荷物８の昇降かご１１内への載置が検出されたときに、昇降かごのドア１６を閉めてドアロックを制御すると共に、呼び登録手段１３により呼び登録された階床４までの昇降かごの昇降動作を制御する。【選択図】図１
2008222374.tif 000002
【特許請求の範囲】
【請求項１】
複数の階床の複数の区分利用空間を有する共同建物の共同玄関に設けられて、前記区分利用空間を利用する区分利用者に宛てた小荷物を載置して昇降駆動される昇降かごと、
前記共同玄関に設けられて、特定の区分利用者と前記特定の区分利用者に小荷物を届ける前記共同建物への訪問者との間の所定認証処理に基づいて、前記昇降かごのドアロックを解除する解錠手段と、
前記解錠手段による前記昇降かごのドアロック解除に連動して、前記特定の区分利用者の区分利用空間が存在する階床を目的階として前記昇降かごの呼びを登録する呼び登録手段と、
前記昇降かごに設置されて、前記小荷物が前記昇降かご内に載置されたことを検出する小荷物載置検出手段と、
前記小荷物載置検出手段により前記小荷物の前記昇降かご内への載置が検出されたときに、前記昇降かごのドアを閉めてドアロックを制御すると共に、前記呼び登録手段により呼び登録された階床までの昇降かごの昇降動作を制御する制御手段と、
を備えることを特徴とする小荷物専用昇降機。
【請求項２】
前記解錠手段の前記ドアロックを解除させるための前記所定認証処理は、前記小荷物を届ける前記訪問者と前記特定の区分利用者との間の識別に基づく、前記特定の区分利用者による解除動作であることを特徴とする請求項１に記載の小荷物専用昇降機。
【請求項３】
前記解錠手段の前記昇降かごのドアロックを解除させるための前記所定認証処理を行なうために、前記共同建物を訪問する可能性のある個別訪問者に関する個人情報を予め記憶するデータベースと、前記個別訪問者の前記個人情報を格納すると共に該個別訪問者のそれぞれに予め付与された認証媒体と、前記建物訪問者の保持する前記認証媒体に格納された前記個人情報を読取る読取機と、前記読取機により読み取られた前記個人情報を前記データベースに記憶された前記個人情報と照合する照合部と、を有する認証手段をさらに備えることを特徴とする請求項１に記載の小荷物専用昇降機。
【請求項４】
前記特定の区分利用者の前記区分利用空間内での在または不在を登録して前記解錠手段および前記呼び登録手段に通知可能な在／不在登録手段をさらに備え、前記特定の区分利用者が在登録したときには、前記解錠手段および前記呼び登録手段は所定の解錠動作および前記昇降かごの呼び登録を行ない、前記特定の区分利用者が不在登録をしたときには、前記解錠動作および前記呼び登録を行なわないことを特徴とする請求項１に記載の小荷物専用昇降機。
【請求項５】
前記区分利用者の前記区分利用空間内での在または不在を登録して前記解錠手段および前記呼び登録手段に通知可能な在／不在登録手段と、前記区分利用者が不在登録をしたときに前記区分所有者宛の小荷物を一時保管するために前記昇降かごが昇降する昇降路の近傍に設けられた一時保管庫と、をさらに備えることを特徴とする請求項１に記載の小荷物専用昇降機。
【請求項６】
前記一時保管庫は複数の小荷物を分類して収納確保することにより個別に保管可能な複数の個別保管庫を前記共同建物の各階床に備え、前記昇降かごは前記在／不在登録手段に不在登録がされているときに前記不在登録をした区分利用者宛の小荷物を受け入れた場合にその区分利用者の区分利用空間のある階床まで受入小荷物を自動で昇降搬送してから各階床の前記個別保管庫内へと自動で分配収納する自動分配手段をさらに備えることを特徴とする請求項５に記載の小荷物専用昇降機。
【請求項７】
前記昇降かごは、前記受入小荷物を内部に搬入するために該昇降かごの一面に設けられた搬入用ドアと、前記ドアが設けられた一面と異なる他面に設けられて各階床の前記個別保管庫との間で自動開閉する搬出用ドアと、を備え、
前記自動分配手段は、前記小荷物載置検出手段が取り付けられた小荷物載置台と、前記昇降かご内の底面から前記搬出用ドアを介して各階床の前記個別保管庫の底面まで前記小荷物載置台を案内するガイドレールと、前記ガイドレールに沿って前記小荷物載置台をスライド移動させる載置台駆動部と、前記呼び登録手段により呼び登録された階床まで前記昇降かごが昇降して停止した後、前記搬出用ドアを自動開閉させて前記小荷物載置台を前記ガイドレールに沿って前記個別保管庫内までスライドさせて前記小荷物を該個別保管庫内に収納させるように小荷物の分配を制御する分配制御部と、を備えることを特徴とする請求項６に記載の小荷物専用昇降機。
【請求項８】
前記小荷物載置台に取り付けられた前記小荷物載置検出手段の検出により、前記個別保管庫内に小荷物が収納された状態が継続していることを所定時間毎に検知して、その検知結果に基づいて前記区分利用者、前記共同建物の保守管理者、前記小荷物の配送者に対して前記小荷物の取り忘れを報知する小荷物取忘れ報知手段をさらに備えることを特徴とする請求項７に記載の小荷物専用昇降機。
【請求項９】
前記個別保管庫のホール側の表面に設けられて該個別保管庫内に小荷物が保管されていることを届け先の前記区分利用者に通知する分配通知手段をさらに備えることを特徴とする請求項６に記載の小荷物専用昇降機。
【請求項１０】
前記自動分配手段が使用されて各階床の前記個別保管庫に小荷物が保管されていることを届け先の前記区分利用者に通知する分配通知手段をさらに備えることを特徴とする請求項６に記載の小荷物専用昇降機。
【発明の詳細な説明】
【技術分野】
【０００１】
本発明は小荷物専用昇降機に関し、特に、複数の区分利用者により区分利用される共同建物に設けられて小荷物の配送先の区分利用者に対して小荷物のみを玄関階から運搬できると共に、配送先の区分利用者が不在の場合に小荷物を自動配送可能にする小荷物専用昇降機に関する。
【背景技術】
【０００２】
一般に、例えば、マンションやアパート等の共同住宅や複数の企業が事務所を設置する共同ビル等の共同建物においては、不特定多数の利用者が建物内に出入りするため、正規の区分利用者が防犯上の不安を感じる場合がある。このような防犯上の不安を取り除くために、建物の共同玄関等のドアにセキュリティシステムが設けられることが多くなってきている。この明細書では、共同住宅の住人や共同ビルに入居する会社の社員等を「区分利用者」と定義して用いる。
【０００３】
従来、このセキュリティシステムが設けられた共同建物の区分利用者宛ての小荷物を配送する宅配業者は、区分利用者をインターホン等で呼び出して共同玄関のドアに設けられたオートロック機構を解錠して貰い、区分利用空間の個別玄関までエレベータを使用して小荷物を運んでから再度インターホンで区分利用空間のドアを解錠して貰って、直接の手渡しで区分利用者に配達する小荷物を届けていた。このように、区分利用者の部屋まで小荷物の配達をするためにエレベータを使用する場合、エレベータを呼んで玄関階にエレベータの乗りかごが来るまで待たなければならないという煩わしさがあった。
【０００４】
従来でもドアロックのかかる玄関ドアを有する建物において、玄関ドアの開動作に加えてエレベータの呼び登録を行なうことにより、サービスの向上を図るようにした、例えば特許文献１に記載された「エレベータの呼び登録装置」もある。特許文献１に記載された例では、建物の出入口のドアにドアロック解除手段を設け、特定人がドアロック解除手段によりドアロック解除操作をしたときに、これに連動してエレベータの乗場呼びを登録すると共に、エレベータが応答した後に特定人の居住階床のかご呼びを登録するようにしている。
【０００５】
一方、宅配サービスについては特許文献２に記載された「物流システム」のように、複数階床間にわたって荷物を移動させ、各居住階に荷物を搬送する物流システムが提案されている。特許文献２では、各階床ごとに荷物の集配ロッカを設けると共に、荷物を上下方向に搬送させる搬送パレットをこの集配ロッカの奥側に隣り合わせに設けている。各集配ロッカは、配送人が配送先の階床を指定する情報格納手段により指定され、搬送パレットから各集配ロッカへは、搬送パレットおよび集配ロッカに設けた荷物移送手段を用いて荷物を移送する。このようにして、集合住宅等の建屋内において、簡単な構成により宅配用の荷物を確実で自動的に配送可能にしている。
【特許文献１】特公平７−１１５８０４号公報
【特許文献２】特開２００４−２４４１９７号公報
【発明の開示】
【発明が解決しようとする課題】
【０００６】
しかしながら、従来の「エレベータの呼び登録装置」によれば、共同玄関のドアロックの解除と同時にエレベータの呼び登録がなされるが、荷物の配送人は荷物を抱えてエレベータに搭乗してから配送先の居住者のところまで荷物を運ばなければならないという問題あった。
【０００７】
最近になって、配送業者はカート等に荷物を積んでマンション内での配送を行なっているが、その場合はカートと一緒に乗りかごを出入りしなくてはならず、他の搭乗者の邪魔に成ったり不快感を与えたりするという問題もあった。
【０００８】
また、住人が住居内に在室している場合には、共同玄関のドアロックの解除と同時にエレベータの呼び登録がなされるので、配送業者が配送時間の短縮を図ることができるが、住人が不在の場合には共同玄関のドアロックの解除もエレベータの呼び登録もされないため、住人が在室している時間に荷物を再配送しなければならないという問題があった。
【０００９】
また、従来の「物流システム」によれば、配送先の居住者の在／不在に拘わらず、配送業者が一方的に各階床に設けられた集配ロッカに荷物を配送してしまうため、例えば冷凍や生ものの食品を配送するような場合、配送先居住者が長期に不在していたり、帰宅後に荷物の取り出しを忘れたりした場合に、配送された荷物の品質に悪影響を与えてしまうという問題があった。
【００１０】
本発明は上記課題に鑑みてなされたものであり、共同建物の区分利用者宛ての小荷物を配送する配送業者が共同建物内で荷物を運搬する作業負担を軽減させ、荷物の届け先の特定の区分利用者が不在の場合でも荷物の再配送の労を省くと共に、長期の不在や帰宅時に荷物を取り出し忘れたような場合でも届け先の区分利用者に対して小荷物を確実に届けることができる小荷物専用昇降機を提供することを目的とする。
【課題を解決するための手段】
【００１１】
上記目的を達成するために、本発明の基本概念である第１構成に係る小荷物専用昇降機は、複数の階床の複数の区分利用空間を有する共同建物の共同玄関に設けられて、前記区分利用空間を利用する区分利用者に宛てた小荷物を載置して昇降駆動される昇降かごと、前記共同玄関に設けられて、特定の区分利用者と前記特定の区分利用者に小荷物を届ける前記共同建物への訪問者との間の所定認証処理に基づいて、前記昇降かごのドアロックを解除する解錠手段と、前記解錠手段による前記昇降かごのドアロック解除に連動して、前記特定の区分利用者の区分利用空間が存在する階床を目的階として前記昇降かごの呼びを登録する呼び登録手段と、前記昇降かごに設置されて、前記小荷物が前記昇降かご内に載置されたことを検出する小荷物載置検出手段と、前記小荷物載置検出手段により前記小荷物の前記昇降かご内への載置が検出されたときに、前記昇降かごのドアを閉めてドアロックを制御すると共に、前記呼び登録手段により呼び登録された階床までの昇降かごの昇降動作を制御する制御手段と、を備えることを特徴とする。
【００１２】
また、第２構成に係る小荷物専用昇降機は、第１構成に記載のものにおいて、前記解錠手段の前記ドアロックを解除させるための前記所定認証処理は、前記小荷物を届ける前記訪問者と前記特定の区分利用者との間の識別に基づく、前記特定の区分利用者による解除動作であることを特徴とする。
【００１３】
また、第３構成に係る小荷物専用昇降機は、第１構成に記載のものにおいて、前記解錠手段の前記昇降かごのドアロックを解除させるための前記所定認証処理を行なうために、前記共同建物を訪問する可能性のある個別訪問者に関する個人情報を予め記憶するデータベースと、前記個別訪問者の前記個人情報を格納すると共に該個別訪問者のそれぞれに予め付与された認証媒体と、前記建物訪問者の保持する前記認証媒体に格納された前記個人情報を読取る読取機と、前記読取機により読み取られた前記個人情報を前記データベースに記憶された前記個人情報と照合する照合部と、を有する認証手段をさらに備えることを特徴とする。
【００１４】
また、第４構成に係る小荷物専用昇降機は、第１構成に記載のものにおいて、前記特定の区分利用者の前記区分利用空間内での在または不在を登録して前記解錠手段および前記呼び登録手段に通知可能な在／不在登録手段をさらに備え、前記特定の区分利用者が在登録したときには、前記解錠手段および前記呼び登録手段は所定の解錠動作および前記昇降かごの呼び登録を行ない、前記特定の区分利用者が不在登録をしたときには、前記解錠動作および前記呼び登録を行なわないことを特徴とする。
【００１５】
また、第５構成に係る小荷物専用昇降機は、第１構成に記載のものにおいて、前記区分利用者の前記区分利用空間内での在または不在を登録して前記解錠手段および前記呼び登録手段に通知可能な在／不在登録手段と、前記区分利用者が不在登録をしたときに前記区分所有者宛の小荷物を一時保管するために前記昇降かごが昇降する昇降路の近傍に設けられた一時保管庫と、をさらに備えることを特徴とする。
【００１６】
また、第６構成に係る小荷物専用昇降機は、第５構成に記載のものにおいて、前記一時保管庫は複数の小荷物を分類して収納確保することにより個別に保管可能な複数の個別保管庫を前記共同建物の各階床に備え、前記昇降かごは前記在／不在登録手段に不在登録がされているときに前記不在登録をした区分利用者宛の小荷物を受け入れた場合にその区分利用者の区分利用空間のある階床まで受入小荷物を自動で昇降搬送してから各階床の前記個別保管庫内へと自動で分配収納する自動分配手段をさらに備えることを特等とする。
【００１７】
また、第７構成に係る小荷物専用昇降機は、第６構成に記載のものにおいて、前記昇降かごは、前記受入小荷物を内部に搬入するために該昇降かごの一面に設けられた搬入用ドアと、前記ドアが設けられた一面と異なる他面に設けられて各階床の前記個別保管庫との間で自動開閉する搬出用ドアと、を備え、前記自動分配手段は、前記小荷物載置検出手段が取り付けられた小荷物載置台と、前記昇降かご内の底面から前記搬出用ドアを介して各階床の前記個別保管庫の底面まで前記小荷物載置台を案内するガイドレールと、前記ガイドレールに沿って前記小荷物載置台をスライド移動させる載置台駆動部と、前記呼び登録手段により呼び登録された階床まで前記昇降かごが昇降して停止した後、前記搬出用ドアを自動開閉させて前記小荷物載置台を前記ガイドレールに沿って前記個別保管庫内までスライドさせて前記小荷物を該個別保管庫内に収納させるように小荷物の分配を制御する分配制御部と、を備えることを特徴とする。
【００１８】
また、第８構成に係る小荷物専用昇降機は、第７構成に記載のものにおいて、前記小荷物載置台に取り付けられた前記小荷物載置検出手段の検出により、前記個別保管庫内に小荷物が収納された状態が継続していることを所定時間毎に検知して、その検知結果に基づいて前記区分利用者、前記共同建物の保守管理者、前記小荷物の配送者に対して前記小荷物の取り忘れを報知する小荷物取忘れ報知手段をさらに備えることを特徴とする。
【００１９】
また、第９構成に係る小荷物専用昇降機は、第６構成に記載のものにおいて、前記個別保管庫のホール側の表面に設けられて該個別保管庫内に小荷物が保管されていることを届け先の前記区分利用者に通知する分配通知手段をさらに備えることを特徴とする。
【００２０】
また、第１０構成に係る小荷物専用昇降機は、第６構成に記載のものにおいて、前記自動分配手段が使用されて各階床の前記個別保管庫に小荷物が保管されていることを届け先の前記区分利用者に通知する分配通知手段をさらに備えることを特徴とする。
【発明の効果】
【００２１】
本発明は、共同建物の区分利用者宛ての小荷物を配送する配送業者が共同建物内で荷物を運搬する作業負担を軽減させ、荷物の届け先の特定の区分利用者が不在の場合でも荷物の再配送の労を省くと共に、長期の不在や帰宅時に荷物を取り出し忘れたような場合でも届け先の区分利用者に対して小荷物を確実に届けることができる。
【発明を実施するための最良の形態】
【００２２】
以下、添付図面を参照しながら、本発明に係る小荷物専用昇降機の実施形態について、詳細に説明する。
【００２３】
（第１実施形態）
第１実施形態に係る小荷物専用昇降機は、基本概念としての第１構成に係る小荷物専用昇降機である。図１に示すように、第１実施形態による小荷物専用昇降機１０は、共同建物１の共同玄関２の玄関ホール３に設けられている。玄関ホール３はエレベータホールを兼ねている。この共同建物１は複数の階床４を有し、各階床４は複数の区分利用空間５を有する。区分利用空間５は、例えばマンションやアパートの場合、住人の居室であり、複数の会社等が借りている共同ビルの場合、各会社が占有する事務所等の空間である。
【００２４】
小荷物専用昇降機１０は、区分利用空間５を利用する区分利用者６に宛てた小荷物８を載置して昇降駆動される昇降かご１１を備える。また、共同玄関２のホール３には、解錠手段１２が設けられており、この解錠手段１２は、特定の区分利用者６とこの特定の区分利用者６に小荷物を届ける共同建物１への訪問者７との間の所定認証処理に基づいて、昇降かご１１のドアロックを解除する。
【００２５】
呼び登録手段１３は、解錠手段１２による昇降かご１１のドアロック解除に連動して、特定の区分利用者６の区分利用空間５が存在する階床４を目的階として昇降かご１１の呼びを登録する。昇降かご１１内には、小荷物載置検出手段１４が設置されており、この小荷物載置検出手段１４は、小荷物８が昇降かご１１内に載置されたことを検出する。この小荷物載置検出手段１４により小荷物８の昇降かご１１内への載置が検出されたときは、制御手段１５が、昇降かご１１のドア１６を閉めてドアロックを制御すると共に、呼び登録手段１３により呼び登録された階床までの昇降かごの昇降動作を制御する。
【００２６】
解錠手段１２のドアロックを解除させるための所定認証処理は、小荷物８を届ける訪問者７と特定の区分利用者６との間の識別に基づいて行なってもよく、この場合、特定の区分利用者６による解除動作である。なお、共同建物１の共同玄関２の解錠機構９と連動して小荷物用の昇降かご１１のドア１６の解錠手段１２がドアロックを解除するように制御することもできる。
【００２７】
また、第１実施形態における所定の認証処理は、予め宅配業者等に発行されたＩＤカード等の認証媒体を用いる認証手段で行なっても良い。図２に示すように、この場合に用いられる認証手段としての認証装置２０は、解錠手段１２の昇降かご１１のドアロックを解除させるために、所定認証処理を自動的に行なうためのものである。認証装置２０は、共同建物１を訪問する可能性のある個別訪問者７に関する個人情報を予め記憶するデータベース２１と、個別訪問者７の個人情報を格納すると共に該個別訪問者７に予め付与された認証媒体２２と、個別訪問者７の保持する認証媒体２２に格納された個人情報を読取る読取機２３と、読取機２３により読み取られた個人情報をデータベース２１に記憶された個人情報と照合する照合部２４と、を有するようにしても良い。
【００２８】
また、この第１実施形態においては、特定の区分利用者６の区分利用空間５内での在または不在を登録して解錠手段１２および呼び登録手段１３に通知可能な在／不在登録手段を設けるようにしても良い。図３に示すように、この在／不在登録手段２５は、特定の区分利用者６の区分利用空間５内に設けられ、特定の区分利用者６が在室しているときに在登録する在登録部２６と、特定の区分利用者６が不在のときまたは訪問者に対応できないときに不在を登録する不在登録部２７とを備えている。特定の区分利用者６が、在登録部２６を介して在登録したときには、解錠手段１２および呼び登録手段１３が所定の解錠動作および昇降かご１１の呼び登録を行なう。また、特定の区分利用者６が不在登録部２７を介して不在登録をしたときは、解錠動作および呼び登録を行なわないようにしている。
【００２９】
また、第１実施形態においては、区分利用者６の区分利用空間内５での在または不在を登録して解錠手段１２および呼び登録手段１３に通知可能な在／不在登録手段２５に加えて、区分利用者６が不在登録をしたときに区分利用者６宛の小荷物を一時保管するため、図１，図３，図４に示すように、昇降かご１１が昇降する昇降路１７の近傍に一時保管庫１８を設けるようにしても良い。
【００３０】
この一時保管庫１８はまた、第１実施形態においては、複数の小荷物を分類して収納確保することにより個別に保管可能な複数の個別保管庫１９を共同建物１の各階床４に備えるようにしても良い。この場合、昇降かご１１は、図３に示すように、在／不在登録手段２５に不在登録部２７により不在登録がされているときに、この不在登録をした区分利用者６宛の小荷物８が配送された場合にその区分利用者６の区分利用空間５のある階床４まで受入小荷物８を自動で昇降搬送してから各階床の個別保管庫内１９へと自動で分配収納する自動分配手段３０をさらに備えていても良い。
【００３１】
図４に示すように、昇降かご１１は、受入小荷物８を内部に搬入するために、昇降かご１１の一面１１ａに設けられた搬入用ドア１６と、この搬入用ドア１６が設けられた一面１１ａと異なる他面、例えば裏側の面１１ｂに設けられて各階床４の個別保管庫１９との間で自動開閉する搬出用ドア２８と、を備えている。また、自動分配手段３０は、重量センサ等の小荷物載置検出手段１４が取り付けられた小荷物載置台１４Ａと、昇降かご１１の搬入用ドア１６の内側面から昇降かご１１内の底面１１ａから搬出用ドア２８の内側面を介して各階床４の個別保管庫１９の底面１９ａまで小荷物載置台１４Ａを案内するガイドレール２９と、ガイドレール２９に沿って小荷物載置台１４Ａをスライド移動させる載置台駆動部３１を備えている。
【００３２】
この載置台駆動部３１は、小荷物載置台１４Ａの底面に固定されてガイドレール２９の形状に対応する凹部を有するローラ３２と、このローラ３２を回転駆動する小型モータ３３を備えている。また、自動分配手段３０は、呼び登録手段１３により呼び登録された階床４まで昇降かご１１が昇降して停止した後、搬出用ドア１６を自動開閉させて小荷物載置台１４Ａをガイドレール２９に沿って個別保管庫１９内までスライド移動させて小荷物８を個別保管庫１９内に収納させるように小荷物８の分配を制御する分配制御部３５を備えている。
【００３３】
自動分配手段３０は、個別保管庫１９のホール側側面１９Ａに取り付けられた小荷物取忘れ報知手段３６を備えていても良い、この小荷物取忘れ報知手段３６は、小荷物載置台１４Ａに取り付けられた小荷物載置検出手段１４の検出により、個別保管庫１９内に小荷物８が収納された状態が継続していることを所定時間毎に検知して、その検知結果に基づいて区分利用者６、共同建物の保守管理者、小荷物８の配送者７に対して小荷物８の取り忘れを報知する。
【００３４】
さらに、小荷物取忘れ報知手段３６は、個別保管庫１９のホール側の表面１９Ａに設けられて個別保管庫内に小荷物が保管されていることを届け先の区分利用者６に通知する分配通知手段３７を備えても良い。この分配通知手段３７は、自動分配手段３０が使用されて各階床４の個別保管庫１９に小荷物８が保管されていることを届け先の区分利用者６に通知する。この通知は、インターホンのような配線を介して行なわれても良いし、携帯情報端末のように無線で送信するようにしても良い。
【００３５】
（第２実施形態）
次に、図５ないし図１１を参照しながら、第２実施形態に係る小荷物専用昇降機について説明する。マンション等の共同建物の規模にもよるが、マンション内で小荷物を携帯して目的の部屋まで配達することは、配達業者にとって大変な負担となっている。例えば、大きくて重い荷物の場合、台車やカートに乗せてエレベータに乗り込む必要がある。エレベータの乗りかごの大きさによっては乗りかご内でカードが占有する面積が大きくなってしまい、他の利用者も乗りかごに搭乗している場合、迷惑を掛けることもある。そこで、この第２実施形態においては、マンション等のセキュリティシステムを考慮しながら、このセキュリティシステムに連動可能な小荷物専用昇降機を提供することにより、このような問題を解消しようとしている。
【００３６】
図５は、第２実施形態に係る小荷物専用昇降機を説明するための共同建物内の概観図であり、図６、は第２実施形態の小荷物専用昇降機の制御を行なう制御装置のブロック構成図である。
【００３７】
図５に示すように、小荷物専用昇降機１０は、オートロック式玄関ドア２により開閉可能に遮断される玄関ホール３Ａに設置され、エレベータ４０は、エレベータホール３Ｂに設置されている。玄関ホール３Ａには、ドアロック解除装置１２表示装置４７等が設けられ、ドアロック解除装置１２はエレベータホール３Ｂとの間を閉鎖する玄関ドア２のオートロックを解除するドアロック解除装置９としても機能する。
【００３８】
図６を参照しながら、エレベータ４０および小荷物昇降機１０の概略構成を説明する。図６に示すように、エレベータ４０（または小荷物昇降機１０）は、それぞれの昇降かご４１（１１）が昇降移動する昇降路４２（１７）と、最上階に設けられた機械室４３内に設置された巻上機４４と、この巻上機を制御する制御装置４５と、目的階４の乗場ホールの壁面に設けられた呼び登録装置４６（１３）と、表示装置４７とを備えている。表示装置４７は、表示ランプや液晶画面によりエレベータまたは小荷物昇降機の乗りかご４１または昇降かご１１の昇降状態を利用者の視覚で捉えられるようにしているが、かご４１または１１の昇降状態を音声により案内しても良い。
【００３９】
小荷物専用昇降機１０の昇降かご１１の構成は、図４を用いて説明した第１実施形態の昇降かご１１の構成に対応している。昇降路１７内を昇降移動するかごの側壁１１ｃ、１１ｄには、小荷物８を載置してスライド移動する載置台１４Ａが設けられ、載置台１４Ａと側壁１１ｃ、１１ｄとの間には、載置台駆動部３１が設けられ、この載置台駆動部３１は、ガイドレール２９と、ガイドレール２９に沿って回転するローラ３２とを備える。第１実施形態と第２実施形態との相違点は、載置台１４Ａの底面にローラ３２が設けられていた第１実施形態に対して、第２実施形態では載置台１４Ａの側壁にローラ３２が設けられ、ガイドレール２９が搬入側ドア１６の内側面から昇降かご１１の底面を経て搬出側ドア２８の内側面からさらに個別保管庫１９の底面にまで連続するように形成されていた第１実施形態の構成に対して、第２実施形態では昇降かご１１内のみにガイドレール２９が設けられた構成となっている。
【００４０】
図８は、第２実施形態に係る小荷物専用昇降機におけるドアロックを解除する制御装置１５の詳細な構成を示している。この具体例では、建物利用者等の予め建物に入る権限を付与された者が識別カード２２（図２）を所持していることを前提としている。ドアロックの解除は、玄関ホール３Ａ（図５）に設置されて所持者のカード情報を読み取るカードリーダ２０と、カードリーダ２０により読み取られたカード情報が建物に入る権限を付与されているのか否かを識別制御する制御装置５０と、ドアロック解除装置１２（９）および呼び登録装置１３により行なわれる。
【００４１】
制御装置５０は、カードより読み取られた読取り情報をコード変換するコード変換器５１と、変換されたコードをさらに論理変換する論理回路５２と、建物に入る許可を予め付与された入館許可情報を記憶する記憶装置５３と、読取り情報と入館許可情報とを照合する照合回路５４と、読取情報と記憶情報とが照合されたときにドアロック解除指令を出力する制御回路５５と、を備えている。制御回路５５からのドアロック解除指令はドアロック解除装置１２（９）に出力されて出入口２や小荷物専用昇降機１０の搬入側ドア１６のドアロックが解除される。
【００４２】
図９には、第２実施形態における在／不在登録手段２５の正面図が示されており、図３に示す第１実施形態に相当する。図９において、第２実施形態の小荷物専用昇降機１０の在／不在登録手段２５は、居住者の居室内に設けられ、在室しているときに在登録する在登録部２６と、居住者が不在のときまたは訪問者に対応できないときに不在を登録する不在登録部２７とを備えている。居住者が、在登録部２６を介して在登録したときには、解錠手段１２および呼び登録手段１３が所定の解錠動作および昇降かご１１の呼び登録を行なう。また、特定の区分利用者６が不在登録部２７を介して不在登録をしたときは、解錠動作および呼び登録を行なわないようにしている。なお、第２実施形態の在／不在登録手段２５は、図９に示すように、通常の玄関ロック解除装置の居室側操作盤をそのまま援用しているため、暗証等の入力用のテンキー５６、液晶表示画面５７、音声応答装置５８、表示ランプ５９等も設けられている。
【００４３】
次に、図１０のフローチャートを参照しながら、第２実施形態による小荷物専用昇降機の動作を説明する。宅配業者や居住者等の利用者は、ドアロック解除装置１２によりキー操作、カード挿入、キー挿入等によりドアロック解除操作を行なう（ステップＳ１）。ドアロック解除装置１２から出力される個人ＩＤあるいは暗証番号等（以下ＩＤ 等）の信号はコード変換されて予め登録されたデータと比較され（ステップＳ２）、一致したときにドアロック解除装置１２により制御回路５５（図８）に開放信号を送る。ＩＤ等には、その居住者の部屋番号情報等が含まれており、居住者の居住する一時保管庫の位置と階床が識別できる構成となっている。
【００４４】
ドアロック解除信号は、伝送ラインを経由して小荷物専用昇降機の運行を管理している制御装置４５（図６）に伝達される各小荷物専用昇降機１０が複数設けられている場合には、各号機の昇降かご１１の現在位置、呼び登録状況、運行状況等から目的とする階床へゆくのに最適な号機を選択する（ステップＳ４）。選択された小荷物専用昇降機１０では制御装置からの呼びに関する信号を呼び登録装置１３が受けて、予備の割り付けを行なう（ステップＳ５）。これにより選択された小荷物専用昇降機１０の昇降かご１１の玄関階への呼びが登録され（ステップＳ６）、小荷物専用昇降機１０の昇降かご１１が玄関階に呼び寄せられる（ステップＳ７）。
【００４５】
小荷物専用昇降機１０の昇降かご１１が玄関階に到着すると、この到着がかご位置検出装置４８（図６）により検出されて（ステップＳ８）、その検出信号は制御装置に伝達される（ステップＳ９）。制御装置４５（図６）は、かご位置検出装置４８からの信号を受信後、昇降かご１１のドア１６のドアロックを解除して開放する（ステップＳ１０）。さらに、配送業者等の利用者が小荷物載置台１４Ａを手前に引くと、スライド機構３１のガイドローラ３２がガイドレール２９に沿って回転して載置台１４Ａが引き出される（ステップＳ１２）。小荷物８が載置台１４Ａに載置される（ステップＳ１３）。
【００４６】
小荷物８が小荷物載置台１４Ａ上に載置されたか否かを検出する重量センサ１４が小荷物８の載置台１４Ａへの載置を検出すると、制御装置４５は、スライド機構３１は載置台１４Ａを引出位置から収納位置へテーブルローディングさせる（ステップＳ１５）。すなわち、スライド機構３１を駆動して小荷物載置台１４Ａに小荷物８を昇降かご１１内に収納する。昇降かご１１は、かご位置検出装置４８からの検出信号を受信して、ドア１６をロックして（ステップＳ１６）、目的階の呼び登録を行なう（ステップＳ１７）。このとき、居住者が在／不在切換装置２５により不在を設定していた場合には、所定の一時保管庫の階床を呼び登録（ステップＳ１８）して、その階床に直行して一時保管庫に小荷物を週濡する（ステップＳ１９）。
【００４７】
各階に設けられた操作盤上には、表示装置あるいは音声応答装置が設けられており、小荷物専用昇降機１０が昇降停止状態にあることを制御装置４５が検出したとき、小荷物収納の有無を報知するので、利用者は小荷物の配達を端末装置２５により確認することができる。利用者が小荷物の配達を確認した後、小荷物専用昇降機１０の昇降かご１１のドア１６は開放される（ステップＳ２１）。利用者が小荷物載置台１４Ａを手前に引き出すとスライド機構３１により載置台１４Ａがスムーズに引き出される（ステップＳ２３）。この引き出された小荷物載置台１４Ａの上から小荷物８を持ち上げることにより、小荷物専用昇降機１０による小荷物８の運搬が完了する。
【００４８】
また、居住者等の利用者の不在時には、小荷物８は一時保管庫１８内に一時的に保管される。利用者は、外出等からの帰宅時に、各階床に設けられた操作盤の表示内容に基づいて操作ボタンを操作すると、制御装置１５により小荷物の一時保管庫１８に対する入出庫に連動する動作を行なうことができる。
【００４９】
もしも予め設定された期限を経過しても小荷物が保管庫に収納されたままの場合、重量検出センサ１４の検出結果とタイマによる時間計測に基づいて、小荷物８の取り出し忘れが確認されて、該当する居住者や、建物を管理する管理会社や、宅配業者に対して警報が発せられる。この警報は、表示装置５７または音声応答装置５８を作動させて、所定のメッセージを表示または音声で通知する。
【００５０】
なお、この第２実施形態においては、小荷物の有無を検出する手段として重量センサ１４を用いるものとして説明したが、光センサ等の他の構成を用いて小荷物の有無を検出するようにしても良い。また、上述した宅配小荷物を届ける場合の手順と同様にして、小荷物の宅配を業者に依頼する場合にも、一時保管庫に小荷物を預けて、上記動作と逆の動作により宅配業者に小荷物をピックアップして貰うように構成することも可能である。
【００５１】
また、上記実施形態においては、宅配業者を例にして説明したが、通常の郵便物でも良いことはいうまでもない。また、来訪者自身が持参した手荷物を居住者の居室に届ける場合にも適用できることももちろんである。さらに、共同建物の一例としてマンションを例に説明したが、複数の会社が入居する共同事務所ビルでも適用可能である。
【００５２】
この第２実施形態によれば、居住者や訪問者等の小荷物専用昇降機の利用者は、個別の呼び登録等を行なうことなく、目的とする階床まで小荷物を運搬することができ、小荷物の昇降かご内への収納の有無を報知することもできるので、小荷物の存在の確認が明瞭となる。
【００５３】
また、小荷物専用昇降機の昇降路の近傍に一時保管庫を設けているので、居住者が不在であったり対応することができなかったりした場合でも小荷物の宅配業務を円滑に行なうことができ、小荷物専用昇降機の運転効率を向上させることができると共に不在設定により不審者の建物内への侵入を防止することもできる。
【図面の簡単な説明】
【００５４】
【図１】第１実施形態による基本構成を示すブロック説明図。
【図２】第１実施形態による認証装置を示すブロック説明図。
【図３】第１実施形態による全体構成を概略で示すブロック図。
【図４】第１実施形態による昇降かごと一時保管庫を示す斜視図。
【図５】第２実施形態による全体構成を示す概略斜視図。
【図６】第２実施形態によるエレベータ、小荷物専用昇降機を示す説明図。
【図７】第２実施形態による小荷物専用昇降機を示す斜視図。
【図８】第２実施形態による情報読取装置を示すブロック図。
【図９】第２実施形態における表示画面の一例を示す平面図。
【図１０】第２実施形態の動作の流れを示すフローチャート。
【符号の説明】
【００５５】
１  共同建物
２  共同玄関
４  階床
５  区分利用空間
６  区分利用者
７  訪問者
８  小荷物
１０  小荷物専用昇降機
１１  昇降かご
１２  解錠手段
１３  呼び登録手段（装置）
１４  小荷物載置検出手段
１５  制御手段
１６  ドア
【図１】
2008222374.tif 000003
【図２】
2008222374.tif 000004
【図３】
2008222374.tif 000005
【図４】
2008222374.tif 000006
【図５】
2008222374.tif 000007
【図６】
2008222374.tif 000008
【図７】
2008222374.tif 000009
【図８】
2008222374.tif 000010
【図９】
2008222374.tif 000011
【図１０】
2008222374.tif 000012
【手続補正書】
【提出日】平成19年3月16日(2007.3.16)
【手続補正１】
【補正対象書類名】図面
【補正対象項目名】全図
【補正方法】変更
【補正の内容】
【図１】
2008222374.tif 000013
【図２】
2008222374.tif 000014
【図３】
2008222374.tif 000015
【図４】
2008222374.tif 000016
【図５】
2008222374.tif 000017
【図６】
2008222374.tif 000018
【図７】
2008222374.tif 000019
【図８】
2008222374.tif 000020
【図９】
2008222374.tif 000021
【図１０】
2008222374.tif 000022